【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
テレビ放送の放送波を受信する受信部と、
前記受信部が受信した放送波から、放送番組に関する番組情報を取得する番組情報取得部と、
前記番組情報取得部によって取得された前記番組情報の中から、放送局及び時間帯で規定される所定の範囲で電子番組表を作成する電子番組表作成部とを備える電子番組表表示装置であって、
前記電子番組表作成部は、
前記放送局及び前記時間帯で規定される第１の範囲で第１の電子番組表を作成する第１の電子番組表作成部と、
前記放送局及び前記時間帯で規定され、前記第１の範囲の一部である第２の範囲で第２の電子番組表を作成する第２の電子番組表作成部と、
前記第１及び第２の電子番組表を合成して合成電子番組表を得る電子番組表合成部とを備え、
前記第１の電子番組表作成部は、前記番組情報のうち所定の番組関連情報に対して予め定められた強調表示を前記第１の電子番組表上に反映することを特徴とする、
電子番組表表示装置。
【請求項２】
請求項１記載の電子番組表表示装置であって、
視聴者の過去の視聴履歴を保存する視聴履歴格納部と、
前記視聴履歴に基づき視聴者のお勧め番組関連情報を認識し、当該お勧め番組関連情報を指示するお勧め番組関連情報を得るお勧め番組指示部とをさらに備え、
前記記号はお勧め番組に対応した特定の記号を含み、
前記第１の電子番組表作成部は、前記お勧め番組関連情報に基づき、前記お勧め番組関連情報に合致する番組を前記お勧め番組として認識し、前記お勧め番組に対して前記予め定められた強調表示を前記第１の電子番組表上に反映することを特徴とする、
電子番組表表示装置。
【請求項３】
請求項１あるいは請求項２記載の電子番組表表示装置であって、
前記予め定められた強調表示として、前記所定の番組関連情報あるいは前記お勧め番組関連情報に置き換えて、予め定められた記号を前記第１の電子番組表上に作成することを特徴とする、
電子番組表表示装置。
【請求項４】
請求項１ないし請求項３のうち、いずれか１項に記載の電子番組表表示装置であって、
前記予め定められた強調表示として、前記所定の番組関連情報あるいは前記お勧め番組関連情報に対応する部分に対して、予め定められた背景色を前記第１の電子番組表上に反映することを特徴とする、
電子番組表表示装置。
【請求項５】
テレビ放送の放送波から放送番組に関する番組情報を取得した後、該番組情報の中から放送局及び時間帯で規定される所定の範囲の電子番組表を作成する電子番組表作成方法であって、前記電子番組表は前記放送波より得られる放送映像に合成して表示され、
(a) 前記放送局及び前記時間帯で規定される第１の範囲で第１の電子番組表を作成するステップと、
(b) 前記放送局及び前記時間帯で規定され、前記第１の範囲の一部である第２の範囲で第２の電子番組表を作成するステップと、
(c) 前記第１及び第２の電子番組表を合成して合成電子番組表を得るステップとを含み、前記所定の範囲は前記第１及び第２の範囲を含み、前記電子番組表は前記合成電子番組表を含み、
前記ステップ(a) は、前記番組情報によって規定される所定の番組関連情報に対して予め定められた強調表示を前記第１の電子番組表上に反映するステップを含むことを特徴とする、
電子番組表作成方法。
【請求項６】
請求項５記載の電子番組表作成方法であって、
(d) 視聴者の過去の視聴履歴に基づき視聴者のお勧め番組関連情報を得るステップをさらに備え、
前記記号はお勧め番組に対応した特定の記号を含み、
前記ステップ(a) は、前記お勧め番組関連情報に基づき、前記お勧め番組関連情報に合致した番組を前記お勧め番組として認識し、前記お勧め番組に対して前記予め定められた強調表示を前記第１の電子番組表上に反映するステップを含むことを特徴とする、
電子番組表作成方法。
【請求項７】
請求項５あるいは請求項６記載の電子番組表作成方法であって、
前記予め定められた強調表示として、前記所定の番組関連情報あるいは前記お勧め番組関連情報に置き換えて、予め定められた記号を前記第１の電子番組表上に作成することを特徴とする、
電子番組表作成方法。
【請求項８】
請求項５ないし請求項７のうち、いずれか１項に記載の電子番組表作成方法であって、
前記予め定められた強調表示として、前記所定の番組関連情報あるいは前記お勧め番組関連情報に対応する部分に対して、予め定められた背景色を前記第１の電子番組表上に反映することを特徴とする、
電子番組表作成方法。
【手続補正２】
【補正対象書類名】明細書
【補正対象項目名】００１４
【補正方法】変更
【補正の内容】
【００１４】
この発明に係る請求項１記載の電子番組表表示装置は、テレビ放送の放送波を受信する受信部と、前記受信部が受信した放送波から、放送番組に関する番組情報を取得する番組情報取得部と、前記番組情報取得部によって取得された前記番組情報の中から、放送局及び時間帯で規定される所定の範囲で電子番組表を作成する電子番組表作成部とを備える電子番組表表示装置であって、前記電子番組表作成部は、前記放送局及び前記時間帯で規定される第１の範囲で第１の電子番組表を作成する第１の電子番組表作成部と、前記放送局及び前記時間帯で規定され、前記第１の範囲の一部である第２の範囲で第２の電子番組表を作成する第２の電子番組表作成部と、前記第１及び第２の電子番組表を合成して合成電子番組表を得る電子番組表合成部とを備え、前記第１の電子番組表作成部は、前記番組情報のうち所定の番組関連情報に対して予め定められた強調表示を前記第１の電子番組表上に反映している。
【手続補正３】
【補正対象書類名】明細書
【補正対象項目名】００１５
【補正方法】変更
【補正の内容】
【００１５】
この発明に係る請求項５記載の電子番組表作成方法は、テレビ放送の放送波から放送番組に関する番組情報を取得した後、該番組情報の中から放送局及び時間帯で規定される所定の範囲の電子番組表を作成する電子番組表作成方法であって、前記電子番組表は前記放送波より得られる放送映像に合成して表示され、(a) 前記放送局及び前記時間帯で規定される第１の範囲で第１の電子番組表を作成するステップと、(b) 前記放送局及び前記時間帯で規定され、前記第１の範囲の一部である第２の範囲で第２の電子番組表を作成するステップと、(c) 前記第１及び第２の電子番組表を合成して合成電子番組表を得るステップとを含み、前記所定の範囲は前記第１及び第２の範囲を含み、前記電子番組表は前記合成電子番組表を含み、前記ステップ(a) は、前記番組情報によって規定される所定の番組関連情報に対して予め定められた強調表示を前記第１の電子番組表上に反映するステップを含んでいる。
【手続補正４】
【補正対象書類名】明細書
【補正対象項目名】００１６
【補正方法】変更
【補正の内容】
【００１６】
この発明に係る請求項１記載の電子番組表表示装置において、第１の電子番組表作成部は、第１の電子番組表内における第２の電子番組表の位置が視認可能な第２の電子番組表指示用カーソルの表示等を予め定められた強調表示として第１の電子番組表上に反映している。
【手続補正５】
【補正対象書類名】明細書
【補正対象項目名】００１９
【補正方法】変更
【補正の内容】
【００１９】
この発明に係る請求項５記載の電子番組表作成方法において、ステップ(a) は、第１の電子番組表内における第２の電子番組表の位置が視認可能な第２の電子番組表指示用カーソルの表示等を予め定められた強調表示としてを第１の電子番組表上に反映している。